(57)【要約】【課題】画像表示装置において、視聴中のＴＶ番組の各場面のうち、音量の変化量が閾値を超える場面の見逃しを防止し、製造コストを抑制し、ユーザによる操作の手間を軽減する。【解決手段】ＴＶ受像機は、お知らせ付加モードで動作している場合（Ｓ１でＹＥＳ）、映像用バッファメモリ及び音声用バッファメモリから読み出したＴＶ番組の映像及び音声を、リアルタイムよりも５秒だけ遅延させて、ディスプレイ及びスピーカのそれぞれに出力する（Ｓ２）。そして、ＴＶ受像機は、ＴＶ番組の各場面の音量の変化を検出し（Ｓ３）、盛り上がり場面や静寂な場面を検出したとき（Ｓ４でＹＥＳ）、この盛り上がり場面や静寂な場面が出力される時よりも２秒前に、盛り上がり場面や静寂な場面が出力される旨をユーザに報知する（Ｓ５）。報知は、例えば、「ポーン」という音や「ワッー」という歓声の音をスピーカ１５から出力することにより行う。【選択図】図７
2013251760.tif 000002
【特許請求の範囲】
【請求項１】
放送信号を受信する受信手段と、
前記放送信号に基づく番組の映像を表示する映像表示手段と、
前記放送信号に基づく番組の音声を出力する音声出力手段と、
前記受信手段によって受信された前記放送信号に基づく番組の映像及び音声を記憶するメモリと、
前記メモリから読み出した前記番組の映像及び音声を、前記映像表示手段及び前記音声出力手段のそれぞれに遅延させて出力するように制御する出力制御手段と、
前記受信手段により受信した前記放送信号に基づく番組の各場面のうち、音量の変化量が閾値を超える場面を検出する検出手段と、
前記検出手段によって、音量の変化量が前記閾値を超える場面が検出されたときに、前記出力制御手段によって、該検出された場面に対応する映像及び音声が前記映像表示手段及び前記音声出力手段に出力されるよりも前に、音量の変化量が前記閾値を超える場面になる旨を予めユーザに報知する報知手段とを備えることを特徴とする画像表示装置。
【請求項２】
前記報知手段は、音量の変化量が前記閾値を超える場面になる旨を予めユーザに報知するための音を、前記音声出力手段から出力させることを特徴とする請求項１に記載の画像表示装置。
【請求項３】
前記検出手段によって、音量の増加により音量の変化量が前記閾値を超える場面が検出されたときに、
前記報知手段は、前記検出手段が検出した場面に対応する前記番組の映像及び音声が前記映像表示手段及び前記音声出力手段に出力されるよりも前に、前記音声出力手段から出力される前記番組の音声の音量を、それまでよりも大きくすることを特徴とする請求項１に記載の画像表示装置。
【請求項４】
前記報知手段は、音量の変化量が前記閾値を超える場面になる旨を予めユーザに報知するためのメッセージを、前記映像表示手段に表示させることを特徴とする請求項１に記載の画像表示装置。
【請求項５】
前記画像表示装置付近に存在するユーザを検知する検知手段をさらに備え、
前記検知手段によって、ユーザの存在が所定の時間以上検知されない場合に、
前記出力制御手段が、前記メモリから読み出した前記番組の映像及び音声を、前記映像表示手段及び前記音声出力手段のそれぞれに遅延させて出力するように制御し、
前記検出手段が、前記受信手段により受信した前記放送信号に基づく番組の各場面のうち、音量の変化量が前記閾値を超える場面を検出し、
前記報知手段が、前記出力制御手段によって、前記検出された場面に対応する映像及び音声が前記映像表示手段及び前記音声出力手段に出力されるよりも前に、音量の変化量が前記閾値を超える場面になる旨を予めユーザに報知することを特徴とする請求項１乃至４のいずれか一項に記載の画像表示装置。
【請求項６】
前記閾値の値を設定する閾値設定手段をさらに備えることを特徴とする請求項１乃至５のいずれか一項に記載の画像表示装置。
【請求項７】
前記報知手段によるユーザへの報知を行うか否かを設定するための報知設定手段をさらに備えることを特徴とする請求項１乃至６のいずれか一項に記載の画像表示装置。
【請求項８】
前記報知手段によるユーザへの報知を行うタイミングを設定するための報知タイミング設定手段をさらに備えることを特徴とする請求項１乃至７のいずれか一項に記載の画像表示装置。
【発明の詳細な説明】
【技術分野】
【０００１】
本発明は、ユーザによる番組の所望の場面の見逃しの防止を支援する画像表示装置に関する。
【背景技術】
【０００２】
ユーザが、リアルタイムで放送されているスポーツ番組を視聴しているときに、テレビジョン（以下、ＴＶという）受像機から目を離すことにより、盛り上がり場面（例えば、サッカーならゴール前の場面や、野球ならホームランを打つ場面など）を見逃してしまうことがあり、非常に悔しい思いをすることがある。また、ユーザは、例えば、ドラマの悲しいシーン等の静寂な場面を見逃してしまうことがあり、その場合も、非常に悔しい思いをすることがある。
【０００３】
上記のような場合の対策として、スポーツ番組を録画しつつ、このスポーツ番組を視聴する方法が知られている。この方法によれば、盛り上がり場面を見逃したとしても、録画したスポーツ番組を再生することにより、ユーザは、盛り上がり場面を確実に視聴できる。しかしながら、この方法では、スポーツ番組の録画操作が必要になるため、ユーザにとって手間が掛かる。また、この方法では、スポーツ番組の全てを録画する必要があるため、記憶容量の大きなメモリやハードディスク等が必要となり、ＴＶ受像機の製造コストが高くなるという問題がある。
【０００４】
他の対策としては、ユーザが見逃した場面を、ニュース番組のスポーツコーナーで視聴する方法が考えられる。しかしながら、この方法では、ニュース番組のスポーツコーナーで、見逃した場面が放送されないことがあるため、ユーザは、所望の場面を視聴できないことがある。また、静寂な場面についても、上述したように盛り上がり場面の見逃しを防ぐための対策が考えられるが、ユーザにとって手間が掛かり、静寂な場面を視聴できないことがある。
【先行技術文献】
【特許文献】
【０００５】
【特許文献１】特開２００７−１１６５６７号公報
【特許文献２】特開２００３−１３４４１５号公報
【特許文献３】特開２００１−２１１３９８号公報
【特許文献４】特開２００９−１４１５８６号公報
【発明の概要】
【発明が解決しようとする課題】
【０００６】
上記問題に対して、特許文献１には、記録する裏番組の盛り上がりを検出してユーザに通知し、裏番組の盛り上がった場面を、その場で確認することができるようにするコンテンツ提供装置が開示されている。しかしながら、このコンテンツ提供装置は、裏番組の盛り上がりをユーザに通知するものであるため、ユーザは視聴中のＴＶ番組の盛り上がり場面や静寂な場面の見逃しを防ぐことができない。従って、このコンテンツ提供装置では、上記問題を解決できない。
【０００７】
また、特許文献２には、複数のチューナを有し、同時に複数チャンネルの番組情報を受信可能とし、第１のチューナにて選局した映像（主画面）を表示するとともに、第２のチューナで選局した映像（副画面）を記録媒体に記録し、記録中の映像（副画面）が特定の場面（ハイライト場面）になったときにそれを検出して認識させ、ユーザの操作に応答して記録媒体に記録された映像を特定の場面よりも前に遡って再生するＴＶ受像機が開示されている。しかしながら、このＴＶ受像機では、副画面の映像がハイライト場面になったときに、ユーザの操作によって、その場面を再生するものであるため、ユーザは視聴中の（主画面の）ＴＶ番組の盛り上がり場面や静寂な場面の見逃しを防ぐことができない。従って、このＴＶ受像機では、上記問題を解決できない。
【０００８】
また、特許文献３には、裏番組の信号の所望シーンと同様なシーンからキーワードとなる画面内情報を読み取り、この画面内情報と、画面内情報抽出部が裏番組の信号から抽出した画面内情報とを比較し、一致した場合に、検出信号を提示方法指定部に供給することにより、画面内情報が一致したシーンを含む裏番組を表示部に表示させるデジタル放送受信機が開示されている。しかしながら、このデジタル放送受信機は、裏番組の所望シーンを表示させるものであるため、ユーザは視聴中のＴＶ番組の盛り上がり場面や静寂な場面を見逃してしまうことを防ぐことができない。従って、このデジタル放送受信機では、上記問題を解決できない。
【０００９】
また、特許文献４には、動画像データの所定の場面が表示されるよりも前に、マルチメディアデータを蓄積部に蓄積し、蓄積したマルチメディアデータから所定の場面を検出して、所定の場面が表示されるよりも前に所定の場面が始まることをユーザに事前通知するマルチメディアデータ再生方法が開示されている。しかしながら、このマルチメディアデータ再生方法では、マルチメディアデータから所定の場面を検出するために、マルチメディアデータを蓄積する必要があるため、多くのメモリ容量が必要となる。従って、製造コストを抑制できない。
【００１０】
本発明は、上述した問題点を解決するためになされたものであり、リアルタイム性を損なわないで、ユーザが視聴中のＴＶ番組の各場面のうち、音量の変化量が閾値を超える場面の見逃しを防止すると共に、製造コストを抑制でき、かつ、ユーザによる操作の手間を軽減可能な画像表示装置を提供することを目的とする。
【課題を解決するための手段】
【００１１】
上記目的を達成するために請求項１の発明は、放送信号を受信する受信手段と、前記放送信号に基づく番組の映像を表示する映像表示手段と、前記放送信号に基づく番組の音声を出力する音声出力手段と、前記受信手段によって受信された前記放送信号に基づく番組の映像及び音声を記憶するメモリと、前記メモリから読み出した前記番組の映像及び音声を、前記映像表示手段及び前記音声出力手段のそれぞれに遅延させて出力するように制御する出力制御手段と、前記受信手段により受信した前記放送信号に基づく番組の各場面のうち、音量の変化量が閾値を超える場面を検出する検出手段と、前記検出手段によって、音量の変化量が前記閾値を超える場面が検出されたときに、前記出力制御手段によって、該検出された場面に対応する映像及び音声が前記映像表示手段及び前記音声出力手段に出力されるよりも前に、音量の変化量が前記閾値を超える場面になる旨を予めユーザに報知する報知手段とを備える画像表示装置である。
【００１２】
また、請求項２の発明は、請求項１に記載の画像表示装置において、前記報知手段は、音量の変化量が前記閾値を超える場面になる旨を予めユーザに報知するための音を、前記音声出力手段から出力させるものである。
【００１３】
また、請求項３の発明は、請求項１に記載の画像表示装置において、前記検出手段によって、音量の増加により音量の変化量が前記閾値を超える場面が検出されたときに、前記報知手段は、前記検出手段が検出した場面に対応する前記番組の映像及び音声が前記映像表示手段及び前記音声出力手段に出力されるよりも前に、前記音声出力手段から出力される前記番組の音声の音量を、それまでよりも大きくするものである。
【００１４】
また、請求項４の発明は、請求項１に記載の画像表示装置において、前記報知手段は、音量の変化量が前記閾値を超える場面になる旨を予めユーザに報知するためのメッセージを、前記映像表示手段に表示させるものである。
【００１５】
また、請求項５の発明は、請求項１乃至４のいずれか一項に記載の画像表示装置において、前記画像表示装置付近に存在するユーザを検知する検知手段をさらに備え、前記検知手段によって、ユーザの存在が所定の時間以上検知されない場合に、前記出力制御手段が、前記メモリから読み出した前記番組の映像及び音声を、前記映像表示手段及び前記音声出力手段のそれぞれに遅延させて出力するように制御し、前記検出手段が、前記受信手段により受信した前記放送信号に基づく番組の各場面のうち、音量の変化量が前記閾値を超える場面を検出し、前記報知手段が、前記出力制御手段によって、前記検出された場面に対応する映像及び音声が前記映像表示手段及び前記音声出力手段に出力されるよりも前に、音量の変化量が前記閾値を超える場面になる旨を予めユーザに報知するものである。
【００１６】
また、請求項６の発明は、請求項１乃至５のいずれか一項に記載の画像表示装置において、前記閾値の値を設定する閾値設定手段をさらに備えるものである。
【００１７】
また、請求項７の発明は、請求項１乃至６のいずれか一項に記載の画像表示装置において、前記報知手段によるユーザへの報知を行うか否かを設定するための報知設定手段をさらに備えるものである。
【００１８】
また、請求項８の発明は、請求項１乃至７のいずれか一項に記載の画像表示装置において、前記報知手段によるユーザへの報知を行うタイミングを設定するための報知タイミング設定手段をさらに備えるものである。
【発明の効果】
【００１９】
本発明によれば、音量の変化量が閾値を超える場面が検出されたときに、検出された場面に対応する映像及び音声が、映像表示手段及び音声出力手段に出力されるよりも前に、音量の変化量が閾値を超える場面になる旨が予めユーザに報知される。そのため、ユーザは、例えば、スポーツ番組を視聴中に、音量の変化量が閾値を超える場面が検出されたときに、歓声（音量）の大きくなる盛り上がり場面が出力されるよりも前に、この盛り上がり場面が出力されることを知ることができる。また、ユーザは、例えば、ドラマを視聴中に、音量の変化量が閾値の下限を超える場面が検出されたときに、ドラマの悲しい場面等の静寂な場面が出力されるよりも前に、この静寂な場面が出力されることも知ることができる。従って、ユーザは、この報知を受けてから番組を注視することにより、盛り上がり場面や静寂な場面を視聴することができるため、リアルタイム性を損なうことなしに視聴中の番組の盛り上がり場面や静寂な場面の見逃しを防ぐことができる。
【００２０】
また、本発明によれば、ユーザが視聴中の番組の盛り上がり場面や静寂な場面の再生操作などを行うことなしに、盛り上がり場面や静寂な場面になることを知ることができると共に、盛り上がり場面や静寂な場面を視聴することができる。従って、ユーザによる操作の手間を低減させることができる。また、本発明によれば、メモリには、遅延させるための番組の映像及び音声だけを記憶すればよいため、番組の全てを記憶する場合と比較してメモリの記憶容量を小さくすることができるので、製造コストを抑制できる。
【図面の簡単な説明】
【００２１】
【図１】本発明の第１の実施形態に係るＴＶ受像機とリモコン装置とを示す斜視図。
【図２】上記ＴＶ受像機の内部構成を示すブロック図。
【図３】上記ＴＶ受像機のメモリに格納される情報を示すブロック図。
【図４】上記ＴＶ受像機の制御部の内部構成を示すブロック図。
【図５】上記ＴＶ受像機の映像音声出力部の内部構成を示すブロック図。
【図６】上記ＴＶ受像機における盛り上がり場面と静寂な場面の検出動作の一例を説明するグラフ。
【図７】上記ＴＶ受像機におけるＴＶ番組の出力動作の処理の手順を示すフローチャート。
【図８】上記ＴＶ受像機のディスプレイに表示されるお知らせ画面の一例を示す説明図。
【図９】上記ＴＶ受像機における音量の調整を説明するグラフ。
【図１０】本発明の第２の実施形態に係るＴＶ受像機の内部構成を示すブロック図。
【図１１】上記ＴＶ受像機における通常動作時の処理の手順を示すフローチャート。
【発明を実施するための形態】
【００２２】
以下、本発明の第１の実施形態に係るテレビジョン受像機（画像表示装置）について、図１乃至図５を参照して説明する。図１は、第１の実施形態のテレビジョン受像機（以下、ＴＶ受像機という）１と、このＴＶ受像機１を操作するためのリモコン装置（閾値設定手段、報知設定手段、報知タイミング設定手段）４との外観を示し、図２は、ＴＶ受像機１の電気的ブロック構成を示す。図３は、メモリ１７に記憶される各情報を示し、図４は、制御部（出力制御手段）１０の構成を示す。図５は、映像音声出力部１０ａの構成を示す。
【００２３】
ＴＶ受像機１は、図２に示すように、アンテナ１１に接続され、デジタル放送信号を受信するチューナ部（受信手段）１２と、デコーダ部１３と、映像を表示するディスプレイ（映像表示手段）１４と、音声を出力するスピーカ（音声出力手段と）１５とを備える。また、ＴＶ受像機１は、リモコン装置４から送信されたリモコン信号を受信するためのリモコン信号受信部１６と、メモリ１７と、制御部１０とをさらに備える。
【００２４】
リモコン装置４は、ユーザによって操作される複数の操作ボタンを有し、ユーザによって操作された操作ボタンに応じたリモコン信号をＴＶ受像機１に送信するものである。ユーザは、リモコン装置４を操作することにより、動作モードの変更の指示や、各種時間の設定等を行うことができる。
【００２５】
チューナ部１２は、アンテナ１１を介して、放送局から配信される各チャンネルのデジタル放送信号を受信する。デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２６】
映像デコード回路は、映像信号を含むＴＳパケットに対して復号化処理を行い、映像信号を抽出し、抽出した映像信号を制御部１０に出力する。音声デコード回路は、音声信号を含むＴＳパケットに対して復号化処理を行い、音声信号を抽出し、抽出した音声信号を制御部１０に出力する。
【００２７】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御部１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。また、データデコード回路は、データ放送情報のデータを抽出して、抽出したデータ放送情報のデータを制御部１０に出力する。
【００２８】
ディスプレイ１４は、チューナ部１２によって受信されたＴＶ番組の映像や、ユーザに報知するための各種メッセージや、各種設定を行うためのメニュー画面等を表示する。スピーカ１５は、チューナ部１２によって受信されたＴＶ番組の音声や、ユーザに報知するための音声を出力する。
【００２９】
リモコン信号受信部１６は、リモコン装置４から受信したリモコン信号である赤外線信号を電気信号に変換して制御部１０に転送する。リモコン装置４から送信されるリモコン信号は、ユーザによって操作された操作ボタンに対応するリモコン信号である。
【００３０】
メモリ１７は、図３に示すように、制御部１０を動作させるためのプログラム１７ａと、遅延時間１７ｂと、音量変化閾値（閾値）１７ｃと、お知らせ開始時間１７ｄとを記憶している。
【００３１】
遅延時間１７ｂには、ＴＶ番組の映像及び音声を遅延させてディスプレイ１４及びスピーカ１５に出力する際の遅延時間が格納される。具体的には例えば、遅延時間１７ｂが「５秒」である場合、ＴＶ番組の映像及び音声が、リアルタイムよりも５秒遅れて、ディスプレイ１４及びスピーカ１５に出力される。遅延時間１７ｂは、ユーザがリモコン装置４を操作することにより、任意の時間に設定可能である。
【００３２】
音量変化閾値１７ｃには、ＴＶ番組の各場面の音量の変化量を検出する際に用いられる閾値が格納される。音量変化閾値１７ｃは、ユーザがリモコン装置４を操作することにより、任意の値や範囲を設定可能である。
【００３３】
お知らせ開始時間１７ｄには、ＴＶ番組の音量の変化量が音量変化閾値１７ｃを超える場面、すなわち、音量が急激に増加する場面（以下、盛り上がり場面という）や、音量が急激に低下する場面（以下、静寂な場面という）になる旨を予めユーザに報知する際に、この旨の報知を開始する時間が格納される。具体的には例えば、お知らせ開始時間１７ｄが「２秒」である場合、盛り上がり場面の映像及び音声がディスプレイ１４及びスピーカ１５から出力されるよりも２秒前から、盛り上がり場面になる旨がユーザに報知される。お知らせ開始時間１７ｄは、ユーザがリモコン装置４を操作することにより、任意の値に設定可能である。
【００３４】
制御部１０は、映像音声出力部（出力制御手段）１０ａと、ユーザによるリモコン装置４の指示操作に基づいて遅延時間１７ｂやお知らせ開始時間１７ｄ等の設定を行うための時間設定部１０ｂと、ユーザによるリモコン装置４の指示操作に基づいて音量変化閾値１７ｃの設定を行うための閾値設定部１０ｃとを有し、ＴＶ受像機１の各部を制御する。また、制御部１０は、通常動作を行う通常動作モードや、お知らせ付加モード等の各種動作モードを有する。制御部１０は、お知らせ付加モードで動作しているとき、リアルタイムよりも遅延時間１７ｂだけ遅延させて、ＴＶ番組の映像及び音声をディスプレイ１４及びスピーカ１５に出力する。一方、制御部１０は、通常動作モードで動作しているとき、ＴＶ番組の映像及び音声を遅延させることなしに、リアルタイムでディスプレイ１４及びスピーカ１５に出力する。ユーザはリモコン装置４を操作することにより、通常動作モードやお知らせ付加モード等の各種動作モードを選択可能である。
【００３５】
映像音声出力部１０ａは、図５に示すように、映像用バッファメモリ（メモリ）２１と、音声用バッファメモリ（メモリ）２２と、音声信号解析部（検出手段）２３とを有する。映像用バッファメモリ２１には、デコーダ部１３から出力された映像信号が一時的に記憶される。音声用バッファメモリ２２には、デコーダ部１３から出力された音声信号が一時的に記憶される。
【００３６】
映像音声出力部１０ａは、お知らせ付加モードで動作している場合、映像用バッファメモリ２１及び音声用バッファメモリ２２から読み出したＴＶ番組の映像信号及び音声信号を、ディスプレイ１４及びスピーカ１５のそれぞれに、リアルタイムよりも遅延時間１７ｂだけ遅延させて出力する。
【００３７】
一方、映像音声出力部１０ａは、通常動作モードで動作している場合、映像用バッファメモリ２１及び音声用バッファメモリ２２から読み出したＴＶ番組の映像信号及び音声信号を、遅延させることなしに、リアルタイムでディスプレイ１４及びスピーカ１５のそれぞれに出力する。
【００３８】
音声信号解析部２３は、お知らせ付加モードで動作している場合、デコーダ部１３から出力された音声信号に基づき、ユーザが視聴中のＴＶ番組の各場面の音量の変化量が音量変化閾値１７ｃを超える場面を検出する。具体的には、音声信号解析部２３は、ＴＶ番組の各場面の音量の変化量が音量変化閾値１７ｃの上限を超える場面（盛り上がり場面）や、音量変化閾値１７ｃの下限を超える場面（静寂な場面）を検出する。
【００３９】
また、音声信号解析部２３は、お知らせ付加モードで動作している場合に、ユーザが視聴中のＴＶ番組から盛り上がり場面や静寂な場面を検出したとき、その旨を予めユーザに報知するための映像をディスプレイ１４に表示させる。すなわち、音声信号解析部２３は、ユーザに報知するための映像を、映像用バッファメモリ２１から読み出される映像信号に基づく映像に重畳する。
【００４０】
また、音声信号解析部２３は、ユーザが視聴中のＴＶ番組から盛り上がり場面や静寂な場面を検出したときに、その旨を予めユーザに報知するための音声をスピーカ１５から出力させる。すなわち、音声信号解析部２３は、ユーザに報知するための音声を、音声用バッファメモリ２２から読み出される音声信号に基づく音声に重畳する。なお、ユーザが視聴中のＴＶ番組から盛り上がり場面や静寂な場面を検出したときに、ユーザに報知するための映像及び音声の両方を出力してもよいし、一方のみを出力するものであってもよく、ユーザが任意に設定することができる。
【００４１】
次に、音声信号解析部２３による盛り上がり場面や静寂な場面の検出動作の一例について、図６を参照して説明する。図６は、ユーザが視聴中のＴＶ番組における一定時間当たりの音量の変化量（以下、音量変化レベルという）を示すグラフである。図６の縦軸は音量変化レベルを示し、横軸は時間を示す。ここでは、音量変化閾値１７ｃに「音量変化レベルが１０〜３０の範囲」と設定されているものとする。すなわち、音量変化レベルが１０〜３０の範囲は、音声信号解析部２３によって検出がされない、所謂、不感帯である。
【００４２】
音声信号解析部２３は、音量変化レベルが３０を超えた場面を「盛り上がり場面」であると検出する。また、音声信号解析部２３は、音量変化レベルが１０未満の場面を「静寂な場面」であると検出する。すなわち、図６に示す音量変化レベルのグラフの場合、音声信号解析部２３は、時間帯Ｔａにおける場面を「盛り上がり場面」であると検出し、時間帯Ｔｂにおける場面を「静寂な場面」であると検出する。なお、音声信号解析部２３は、例えば、時間に対する音量の変化を示すグラフを微分することにより得られる値と、音量変化閾値１７ｃに設定された値とを比較することにより、盛り上がり場面や静寂な場面を検出するものであってもよい。
【００４３】
次に、ＴＶ受像機１におけるＴＶ番組の出力動作について、図７に示すフローチャートを参照して説明する。ここでは、ＴＶ受像機１は、ユーザによって選択されたチャンネルのデジタル放送信号に基づくＴＶ番組を受信中であるものとする。また、遅延時間１７ｂには、「５秒」が設定されており、お知らせ開始時間１７ｄには「２秒」が設定されているものとする。
【００４４】
制御部１０は、お知らせ付加モードで動作している場合（Ｓ１でＹＥＳ）、映像音声出力部１０ａを用いて、映像用バッファメモリ２１及び音声用バッファメモリ２２から読み出したＴＶ番組の映像及び音声を、リアルタイムよりも５秒だけ遅延させて、ディスプレイ１４及びスピーカ１５のそれぞれに出力する処理を開始する（Ｓ２）。
【００４５】
そして、制御部１０は、音声信号解析部２３を用いて、チューナ部１２から受信しているＴＶ番組の各場面の音量の変化を検出する（Ｓ３）。そして、制御部１０は、音量の変化量が音量変化閾値１７ｄの上限を超える場面（盛り上がり場面）を検出したとき（Ｓ４でＹＥＳ）、この盛り上がり場面に対応する映像及び音声がディスプレイ１４及びスピーカ１５に出力される時よりも２秒前に、盛り上がり場面になる旨をユーザに報知する（Ｓ５）。なお、ＴＶ番組を遅延させて出力する処理（上記Ｓ２）と、上記Ｓ３〜Ｓ５の処理は並行して行われる。すなわち、ＴＶ番組を遅延させて出力しながら、盛り上がり場面が報知される。また、上記Ｓ３において、音量の変化量が音量変化閾値１７ｄの下限を超える場面（静寂な場面）を検出したとき（上記Ｓ４でＹＥＳに相当）、制御部１０は、この静寂な場面に対応する映像及び音声がディスプレイ１４及びスピーカ１５に出力される時よりも２秒前に、盛り上がり場面になる旨をユーザに報知することができる（上記Ｓ５に相当）。
【００４６】
上記Ｓ５による報知は、例えば、「ポーン」という音や「ワッー」という歓声の音をスピーカ１５から出力させる。また、ユーザが予め所望の音をメモリ１７に記憶させ、この音をスピーカ１５から出力させるものであってもよい。
【００４７】
一方、制御部１０は、お知らせ付加モードで動作していない場合、すなわち、通常動作モードで動作している場合（Ｓ１でＮＯ）、映像音声出力部１０ａを用いて、受信したＴＶ番組の映像及び音声を遅延させることなく、ディスプレイ１４及びスピーカ１５に出力する通常動作を行う（Ｓ６）。
【００４８】
次に、上記Ｓ５の報知の例について、図８及び図９を参照して説明する。上記Ｓ５の報知は、図８に示すように、ディスプレイ１４に「まもなく盛り上がり場面です。」というメッセージを表示して、ユーザに盛り上がり場面を予め報知するものであってもよい。また、静寂な場面を検出したとき、ディスプレイ１４に「まもなく静寂な場面です。」というメッセージを表示してもよい。
【００４９】
また、スピーカ１５から出力する音量を調整することにより、盛り上がり場面をユーザに報知してもよい。図９は、グラフＡが調整後の音量の変化を示し、グラフＢが調整前（通常時）の音量の変化を示す。図９の縦軸Ｖは音量を示し、横軸Ｔは時間を示す。通常時のグラフＢでは、時間Ｔ１のときに音量が「５」から「１５」まで急激に増加する盛り上がり場面である。調整後のグラフＡに示すように、時間Ｔ１よりも２秒前の時間Ｔ１１から音量を「１５」に増加させてスピーカ１５から出力させる。このように、盛り上がり場面が出力されるよりも前に出力される場面の音量を、それまでよりも大きくすることによって、ユーザに盛り上がり場面の出力を予め報知する。なお、音量が下がる場面（例えば、時間Ｔ２以降）では、調整後の音量は、通常時の音量と同じ大きさになるように調整する。
【００５０】
上述したように、本実施形態に係るＴＶ受像機１においては、音量の変化量が音量変化閾値１７ｃを超える場面（盛り上がり場面、静寂な場面）が検出されたときに、検出された盛り上がり場面や静寂な場面に対応する映像及び音声が、ディスプレイ１４及びスピーカ１５に出力されるよりも前に、盛り上がり場面や静寂な場面になる旨が予めユーザに報知される。そのため、ユーザは、例えば、スポーツ番組を視聴中に、歓声（音量）の大きくなる盛り上がり場面が出力されるよりも前に、この盛り上がり場面になることを知ることができる。また、ユーザは、例えば、ドラマを視聴中に、ドラマの悲しい場面等の静寂な場面が出力されるよりも前に、この静寂な場面が出力されることも知ることができる。従って、ユーザは、この報知を受けてからＴＶ番組を注視することにより、盛り上がり場面や静寂な場面を視聴することができるため、リアルタイム性を損なうことなしに視聴中のＴＶ番組の盛り上がり場面や静寂な場面の見逃しを防ぐことができる。
【００５１】
また、本ＴＶ受像機１によれば、ユーザが視聴中のＴＶ番組の盛り上がり場面や静寂な場面の再生操作などを行うことなしに、盛り上がり場面や静寂な場面になることを知ることができると共に、盛り上がり場面や静寂な場面を視聴することができる。従って、ユーザによる操作の手間を低減させることができる。また、本ＴＶ受像機１によれば、ＴＶ番組を遅延させるためのメモリ（映像用バッファメモリ２１及び音声用バッファメモリ２２）には、遅延時間１７ｂだけ遅延させるためのＴＶ番組の映像及び音声のみを記憶すればよいため、ＴＶ番組の全てを記憶する場合と比較してメモリの記憶容量を小さくすることができるので、製造コストを抑制できる。
【００５２】
また、本ＴＶ受像機１によれば、スピーカ１５から音を出力して、盛り上がり場面の出力をユーザに報知できる。そのため、ユーザは、この音を聞いていれば盛り上がり場面の見逃しを防止することができる。
【００５３】
また、本ＴＶ受像機１によれば、ユーザが視聴中のＴＶ番組の盛り上がり場面や静寂な場面の検出を、音量の増加や減少によって検出するため、簡易な処理で盛り上がり場面や静寂な場面の検出を行うことができ、制御部１０の処理の負荷を抑制することができる。
【００５４】
次に、本発明の第２の実施形態に係るＴＶ受像機について、図１０を参照して説明する。本実施形態に係るＴＶ受像機は、人感センサ（検知手段）１８をさらに備えること以外は、第１の実施形態に係るＴＶ受像機１と同様の構成である。本実施形態に係るＴＶ受像機１では、第１の実施形態と同じ構成を同じで符号で示し、その説明を省略する。
【００５５】
人感センサ１８は、検知範囲内に人がいるか否かを検知するセンサである。人感センサ１８が、その検知範囲内にユーザを検知したときには、検知した旨の信号を制御部１０に出力する。人感センサ１８は、ＴＶ受像機１の周囲の人を検知している。
【００５６】
次に、ＴＶ受像機１の通常動作モードにおけるＴＶ番組の出力動作について、図１１に示すフローチャートを参照して説明する。
【００５７】
通常動作モードでＴＶ番組を出力させているとき（Ｓ１１）、人感センサ１８は、ユーザの存在を検知する（Ｓ１２）。そして、ユーザを所定の時間以上検知できない場合（Ｓ１３でＹＥＳ）、制御部１０が、動作モードを通常動作モードからお知らせ付加モードに変更する（Ｓ１４）。
【００５８】
このように、本ＴＶ受像機１によれば、ユーザがＴＶ受像機から離れている等の原因で、人感センサ１８がユーザを所定の時間以上検知できない場合に、動作モードを自動的にお知らせ付加モードに変更する。その結果、ユーザがＴＶ受像機１から離れているときに、盛り上がり場面や静寂な場面が出力される場合であっても、お知らせ付加モードで動作しているため、盛り上がり場面や静寂な場面が出力されるよりも前に、盛り上がり場面や静寂な場面になる旨が予めユーザに報知される。従って、ユーザは、視聴中のＴＶ番組の盛り上がり場面や静寂な場面の見逃しを防ぐことができる。なお、この場合の報知は、スピーカ１５から音を出力することによって、盛り上がり場面や静寂な場面の出力をユーザに予め報知するものが好ましい。
【００５９】
また、人感センサ１８は、ＴＶ受像機１からユーザまでの距離を検知する距離センサであってもよい。その場合、人感センサ１８によって、ユーザまでの距離が頻繁に変わると検知された場合、ＴＶ番組を視聴していないものと判断して、制御部１０が、動作モードを通常動作モードからお知らせ付加モードに変更する。その結果、ユーザは、上記と同様に、視聴中のＴＶ番組の盛り上がり場面や静寂な場面の見逃しを防ぐことができる。
【００６０】
また、人感センサ１８は、ユーザの目線を検出するものであってもよい。その場合、人感センサ１８によって、ユーザがＴＶ受像機１のディスプレイ１４を所定の時間以上見ていないと検出された場合に、制御部１０が、動作モードを通常動作モードからお知らせ付加モードに変更してもよい。その結果、ユーザがＴＶ受像機１のディスプレイ１４を見ていない場合に、盛り上がり場面や静寂な場面になる旨が予めユーザに報知されるので、ユーザは、視聴中のＴＶ番組の盛り上がり場面や静寂な場面の見逃しを防ぐことができる。
【００６１】
なお、本発明は、上記の各実施形態の構成に限られず、発明の趣旨を変更しない範囲で種々の変形が可能である。例えば、上記の各実施形態において、請求項に示す画像表示装置がＴＶ受像機である例を示したが、これに限られず、映像及び音声を出力可能な画像表示装置であればよい。
【００６２】
また、上記ＴＶ受像機では、ＴＶ番組を遅延させるために映像用バッファメモリ及び音声用バッファメモリを用いたが、新たにこれらを設けることなしに、既存のバッファメモリの空き容量に映像信号及び音声信号を一時的に記憶させることによって、ＴＶ番組の出力を遅延させるものであってもよい。その場合、新たにバッファメモリを設ける必要がなくなるので、製造コストをさらに抑制できる。
【符号の説明】
【００６３】
４  リモコン装置（閾値設定手段、報知設定手段、報知タイミング設定手段）
１０  制御部（出力制御手段）
１２  チューナ部（受信手段）
１４  ディスプレイ（映像表示手段）
１５  スピーカ（音声出力手段）
１８  人感センサ（検知手段）
２１  映像用バッファメモリ（メモリ）
２２  音声用バッファメモリ（メモリ）
２３  音声信号解析部（検出手段）
１０ａ  映像音声出力部（出力制御手段）
１７ｃ  音量変化閾値（閾値）
【図１】
2013251760.tif 000003
【図２】
2013251760.tif 000004
【図３】
2013251760.tif 000005
【図４】
2013251760.tif 000006
【図５】
2013251760.tif 000007
【図６】
2013251760.tif 000008
【図７】
2013251760.tif 000009
【図８】
2013251760.tif 000010
【図９】
2013251760.tif 000011
【図１０】
2013251760.tif 000012
【図１１】
2013251760.tif 000013